(57)【要約】【課題】  テーパ部の角度が小さい車両用軽合金ホイールを造るために適した低圧鋳造装置を提供する。【解決手段】  車両用軽合金ホイールの低圧鋳造装置であって、前記低圧鋳造装置は可動プラテンを昇降するための油圧シリンダと、前記油圧シリンダとは別の可動プラテンを３ヶ所以上で同期に押し上げする平衡制御駆動装置が設けられていることを特徴とする車両用軽合金ホイールの低圧鋳造装置を用いる。平衡制御駆動装置は、可動プラテンを２０〜３０ｍｍの高さまで平行に移動させるものであることが好ましい。【選択図】        図１
2006061986.tif 000002
【特許請求の範囲】
【請求項１】
車両用軽合金ホイールの低圧鋳造装置であって、前記低圧鋳造装置は可動プラテンを昇降するための油圧シリンダと、前記油圧シリンダとは別の可動プラテンを３ヶ所以上で同期に押し上げする平衡制御駆動装置が設けられていることを特徴とする車両用軽合金ホイールの低圧鋳造装置。
【請求項２】
前記平衡制御駆動装置は、可動プラテンを２０〜３０ｍｍの高さまで平行に移動させることを特徴とする請求項１に記載の車両用軽合金ホイールの低圧鋳造装置。
【請求項３】
前記平衡制御駆動装置は、上型プラテンに設けられていることを特徴とする請求項１または２に記載の車両用軽合金ホイールの低圧鋳造装置。
【請求項４】
前記低圧鋳造装置には、可動プラテンを昇降するための油圧シリンダ内の型締め力となる油圧を０．０５秒以上の時間で実質０ＭＰａにまで落とす機能が備えられていることを特徴とする請求項１乃至３に記載の車両用軽合金ホイールの低圧鋳造装置。
【発明の詳細な説明】
【技術分野】
【０００１】
本発明は、車両用軽合金製ホイールの低圧鋳造装置に関し、特にデザイン部の形状がホイール装着面から観察した際に非常にシャープな印象をあたえる意匠性の高いものを製造するのに適した低圧鋳造装置である。
【背景技術】
【０００２】
車両用ホイールの1つである自動車のロードホイールには種々の材質、構造のものがあるが、自動車の軽量化及び外観や意匠性の向上を目的として、鉄製からアルミニウム合金、マグネシウム合金やチタン合金などの軽合金製への変換が進んでおり、とくにアルミニウム合金製のアルミホイールを装着する比率が増大している。
【０００３】
図１０に示すように一般に軽合金製ホイール３０は、ボルトとナットにより車軸に取付けられる厚肉のハブ部３１と厚肉部と薄肉部が混在するデザイン部３２からなるディスク部と、タイヤが取着される薄肉のリム部３３から構成されている。また、リム部３３はフロントフランジ部、リアフランジ部、リム部とディスク部が交差するクロス部、リム中央部からなる。デザイン部３２はスポーク部３４と意匠穴３５が設けられている。ハブ部にはボルトで車体と固着するためのボルト穴凹部３６が設けられている。
【０００４】
ホイールは車両の外観性を左右するものであり、種々多様の形状で生産されている。大別してスポークタイプ、ディッシュタイプ、フィンタイプ、メッシュタイプとこの４つのタイプがある。スポークタイプとはハブ部から３〜１０本のスポークが延在してリム部と結合し、スポークを主体としてデザインされたものである。ディッシュタイプとはスポークタイプよりもハブ部がかなり広い範囲で緩やかな面が形成され、リム部とは短めのスポークで連結されているデザイン部中心が略円盤形状のものである。また、フィンタイプはスポークタイプに属するがスポーク数が比較的多くかつ細い点が特徴である。また、メッシュタイプもスポーク数が多くかつ細く伸びているが、スポークがハブ部とリム部の間で網目のようにメッシュ状となるものである。各仕様によってさらに様々な形態をもつ。
【０００５】
また、上記４つのタイプのうちメッシュタイプ、スポークタイプ、およびフィンタイプでは、厚肉のハブ部からリム部まで橋絡するように設けられたスポーク部の形状は多様である。そのなかでも車両自体のスピード感、機動力等に対する印象を挙げるために、シャープな外観性を出すということが検討されている。シャープな外観性の表現法も多様であるが、１つの手法としてデザイン部でのスポーク部の幅を狭くすることでシャープ感を出すことが可能である。しかしながら、強度的に十分であってもスポーク部の幅を狭くすることは従来、量産では難しく、図１０で示すように車両用軽合金ホイールのスポーク部のテーパ部傾きは６〜８°である。鍛造や削り出し等の製造方法ではコスト高になってしまうため、問題があった。
【特許文献１】特開２０００−５２０２３号公報
【特許文献２】特開平７−２８４９０３号公報
【発明の開示】
【発明が解決しようとする課題】
【０００６】
金型鋳造を用いた車両用軽合金ホイールにおいて全体的にシャープ感を出すための手段として、デザイン部に設けられるスポーク部のテーパ部の形状を所定の形状とすることが挙げられる。つまり車両用軽合金ホイールの金型鋳造ではデザイン部は、ホイールのデザイン面の表面側と裏面側から金型が契合し、その契合面間に形成されたキャビティに溶湯が注入され凝固して形成される。このデザイン部を金型キャビティから離間するためにスポーク部のテーパ部傾きをある程度大きくする必要がある。しかしながらこのテーパ部傾きによりスポークは幅広となり、シャープな印象を十分に出すことが困難であった。よって本発明の目的はこれらのテーパ部の角度が小さい車両用軽合金ホイールを造るために適した低圧鋳造装置を提供することである。
【課題を解決するための手段】
【０００７】
本発明は、車両用軽合金ホイールの低圧鋳造装置であって、前記低圧鋳造装置は可動プラテンを昇降するための油圧シリンダと、前記油圧シリンダとは別の可動プラテンを３ヶ所以上で同期に押し上げする平衡制御駆動装置が設けられていることを特徴とする。この平衡制御駆動装置は、可動プラテンを２０〜３０ｍｍの高さまで平行に移動させることを特徴とする。平衡制御駆動装置は、上型プラテンに設けられている構成を採用することができる。また、この低圧鋳造装置には、可動プラテンを昇降するための油圧シリンダ内の型締め力となる油圧を０．０５秒以上の時間で実質０ＭＰａにまで落とす機能が備えられていることが好ましい。
【０００８】
本発明の車両用軽合金ホイールの低圧鋳造装置により、ハブ部及びデザイン部を含むディスク部とリム部を有する車両用軽合金ホイールであって、前記ディスク部は金型鋳造により成形されたスポーク部をデザイン部に備え、かつ前記スポーク部のテーパ部傾きは少なくとも一部が５．０°未満であるものが鋳造無加工で得られる。また、テーパ部傾きは４．５°、さらには４．０°以下とすることも可能である。
【０００９】
また、本発明はアルミニウム合金製ホイールに限らずマグネシウム合金製ホイールなどにも適用可能である。
【００１０】
本発明では、金型から凝固したホイールを取り出す際に、厳密な金型の駆動制御を行う。ディスク部を形成する下型または上型を型開けする際、可動プラテンを３ヶ所以上で同期に押し上げする平行制御駆動装置を用いて動かすことが好ましい。上型プラテンに同期ピストンを設け、上板を押し上げ、最下端の位置にある上板を２０〜３０ｍｍ程度の高さまで平行に移動させればよい。もしくは下型プラテンに３ヶ所以上の同期の油圧シリンダを設けて、直接可動プラテンを押し上げても良い。２ヶ所以下であると可動プラテンが傾きやすく、テーパ部傾きの小さい製品は作り難い。
【００１１】
従来のホイール鋳造機においては単に１本の油圧シリンダで可動プラテンを引き上げ、単純に型開きを行っていた。しかしホイールの鋳造においては下型プラテンの近傍に保持炉を備える構造であり、そのような構成においては下型プラテンが熱膨張しやすい。上型プラテンと下型プラテンの熱膨張による寸法差が異なる為、ガイドの内径とガイドポストの外径とは０．３〜０．５ｍｍ程の隙間を取る必要がある。しかしこの隙間により可動プラテンは絶えずどこか一方で傾きながら上昇するという現象を起こす。スポーク部やハブ部の凹部等に６．０〜８．０°のテーパ部傾きが設けているものであれば上記可動プラテンの傾きは問題にならない許容範囲であり、成形品の形状を損なうことなく製品を離型することができたが、テーパ部傾きが５°未満の製品ではこの傾きが起こるとスポーク部やハブ部の凹部でカジリが発生しやすい。下型からの離型時、製品は４００〜４５０℃有り、強度が低い。特にデザイン面が複雑な形状をしている場合、下型に取られやすくまた引き抜き方向に対して強度が弱く、垂直にスムーズに上昇させないとデザイン部のカジリを起す。よって離型時の上型が備えられた可動プラテンの詳細な配慮は非常に重要な技術である。上型が下型に対して平行上昇しなければいけない距離は、型締め位置から最大で５〜２０ｍｍ程度である。それより上昇してしまえば多少可動プラテンが傾いてもデザイン面と下型がぶつかることは無い。この程度まで厳密な制御によって可動プラテンを持ち上げるためには上型または上型と固着している可動プラテンでの３箇所以上を同時に同じ移動量で押し上げる平行移動制御をさせる必要がある。４本同期の垂直シリンダ方式が特に有効である。シリンダの駆動は電流制御バルブやサーボバルブを用いれば良い。
【００１２】
また、鋳造上型は一般的に２００ＫＮ型締め力で下型を押している。油圧で１０ＭＰａ程度である為、この１０ＭＰａを０．０１秒未満の速さで実質０ＭＰａにまで落とすと鋳造機にかかる応力による変形も１度に開放され、油圧回路中にサージ圧が発生し、これにより鋳造機全体が振動し、可動プラテンが下型に対して平行に移動しなかったり、下型に対して上型が横方向に移動し、下型とデザイン面のカジリを起こしやすくする。実際のバルブが全開になるまでの時間は０．０２秒ほどであるが、型締め力が０ＭＰａになるのはその半分ほどの時間である。よって型締め力を０．０５秒以上、さらに好ましくは０．１０秒以上の長い時間をかけて型締め力を抜くことで急激な油の減圧による鋳造機の衝撃を和らげ、結果カジリの無いデザイン面を成形可能である。
【００１３】
また、型締めの際には不要な振動・応力を与えないように型締め力を上げていくことが好ましい。急激に型締めを行うと鋳造記全体に振動が発生してしまう。可動プラテンや下型の重量を総和すると３〜４トン近くなり、上型プラテンや下型プラテンに、垂直方向に１ｍｍほどの応力歪を発生させる。また、型締めの際、平行方向にも影響を与える為、テーパ部傾きの少ないアルミホイールを製造するには所定の速度で型締めを行うことが好ましい。
【００１４】
特に適合するスポーク部の形状にはメッシュ形状、スポーク形状、フィン形状が主に挙げられる。さらには、前記スポーク部の５．０°未満である部分の最小幅が５ｍｍ以下、厚さが２０ｍｍ以上である、外観上非常に細い、シャープといった印象を与えるホイールとすることが可能であるし、スポーク部裏面の鋳抜き部でのテーパ部傾きも５．０°未満となるようにして成形可能である。
【００１５】
また、ハブ部及びデザイン部を含むディスク部とリム部を有する車両用軽合金製ホイールであって、前記ハブ部に設けられたボルト穴凹部のテーパ部傾きが５°以下であることを特徴とする車両用軽合金ホイールを製造することが可能である。これにより従来は表現し難かったボルト穴凹部の精密度さ、高級感等をさらに強調することができる。
【００１６】
ハブ部及びデザイン部を含むディスク部とリム部を有する車両用軽合金製ホイールのうち、ディスク部のみを金型で鋳造し、他リム部には別の製法で製造したものと接着させた２ピースホイールまたは３ピースホイールだけでなく、金型内に溶湯を充満させ難い１ピースホイールとして金型鋳造された車両用軽合金製ホイールとすることもできる。
【００１７】
スポーク部とはハブ部とリム部との間を橋絡する連結部であり、ディスク面同士の間を指す。また、スポーク部のテーパ部傾きとは図４〜６に示すθの部分でスポークの軸方向とテーパ部面のなす角度である。例えば図４に示すようにスポーク部３４の垂直断面形状が意匠面側４１が平坦でありテーパ部傾きが意匠面裏側まで一定である場合、当然テーパ部傾きの角度θはホイールの軸方向（Ａ）とテーパ部４０とのなす角度である。また、図５に示すようにスポーク部の断面形状が意匠面側が凸形状でありテーパ部傾きが意匠面裏側まで一定である場合もホイールの軸方向とテーパ部とのなす角度である。さらに、図６に示すようにスポーク部の断面形状は、デザイン面正面から連続してテーパ部まで曲がっており、テーパ部が場所により異なる曲率をもつ場合、ホイールの軸方向となす角度が最も小さくなる部分での角度である。また、図４〜６はスポーク部のテーパ部はデザイン面表側から型締めされる型により形成されるものであるが、逆に裏側からあてがわれる型により成形されるものでもよく、その場合はスポーク部はデザイン面側が幅広で奥にいくに従い狭まる逆のテーパ部傾きとなる。また、テーパ部全体の〜％以上との定義はテーパ部となる部分の面積に対して％表示したものではない。デザイン面から見たスポーク部の輪郭の長さに対して、５°以下のテーパ部傾きが存在する部分の長さの割合を示すものである。例えば図１においてはデザイン面にＹ字型のスポークが複数設けられているが、Ｙ字の枝分かれしている部分内側は５°以上のテーパ部傾きで、残りのＹ字の外側のみが５°未満のテーパ部傾きで形成されているとする。 Ｙ字の枝分かれしている部分内側の長さの輪郭の総和が１４４ｍｍであり、残りのＹ字の外側が２４０ｍｍであれば、２４０／（２４０＋１４４）＝０．６２５となり、６２．５％が５°未満のテーパ部傾きを有する部分である。
【００１８】
スポーク部裏面の鋳抜き部とは、図７に記載したように、スポーク部の意匠面の裏側に形成した凹部４４である。また、そのテーパ部傾きとは形成された凹部４４の面のうち、ホイールの軸方向となす角度が最も小さくなる部分での角度である。また、その際に鋳抜き部４４の底からデザイン面までの厚さ（以後、天井肉厚とする）Ｔ２は４ｍｍ以下とすることが可能である。
【００１９】
スポーク部の５．０°未満である部分の最小幅Ｗとは、スポーク部の垂直断面における幅の内、最も小さい部分である。スポーク部は一律に同じ太さでハブ部からリム部まで成形されておらず、場所により異なる。また、形状も複雑である為、テーパ部傾きが５．０°未満である部分と５．０°以上である部分とが混在する。当然ながらスポーク部の断面積が小さいと溶湯の湯流れ性が悪くなる為鋳造欠陥がおきやすい。テーパ部傾きが５．０°未満でスポーク部の幅が５ｍｍ以下であるとリム部だけに湯口を設けたサイドゲート法や、ディスク部だけに湯口を設けたセンターゲート法では前記部分で溶湯の流れが抑制される為、成形状態の悪化や鋳造サイクルが遅くなるなどの方案的な問題が発生する。リム部とディスク部とに複数湯口を設けることでテーパ部傾きが小さく、かつ幅が狭いスポーク部を成形することができる。
【００２０】
図４〜５にしめすように鋳抜き部のないスポーク部であれば、テーパ部傾きが５°以下でもスポーク部の最小幅Ｗは４．０ｍｍ以下、厚さＴ１を２５ｍｍ以上とすることが可能である。また、スポーク部裏面に鋳抜き部の有るものでもスポーク部の最小幅は４．５ｍｍ以下、厚さＴ１を３０以上とすることが可能であり、天井肉圧は５ｍｍ以下とすることが可能である。また、テーパ部傾きは４．０°以下、さらには３．５°以下とすることも可能である。
【発明の効果】
【００２１】
以上に記述の如く、本発明によれば、鋳造無加工でもテーパ部傾きの小さいスポーク部を成形することが可能である。また、従来にない細い印象を与えるスポーク部を成形することも可能であるため、シャープな印象を与える車両用軽合金ホイールをスポーク部のテーパ部を加工することなく製造でき、安価に提供可能である。
【発明を実施するための最良の形態】
【００２２】
（参考例１）
図２は車両用軽合金製ホイールの鋳造を行う１例で、アルミニウム合金製のホイールを通常の低圧鋳造で行う場合の設備の概略を示す図である。密閉容器１内に保持炉２があり、密閉容器１の上に下型プラテン３が取り付けられ、密閉容器１を密閉している。下型プラテン３には中央部にアルミニウム合金の溶湯５を金型に補給するストーク４ｂが取り付けてあり、ストーク４ｂの下端は保持炉２中の溶湯５に浸漬されている。ストーク４ｂの上端は、下型プラテン３および金型の下型８に嵌入された湯口ブッシュ６を介し金型の湯口部７に連なっている。ストーク４ｂを介して注湯される溶湯は下型８に流れ込み、ホイールのハブ部を形成するキャビティに注湯される。
【００２３】
金型の下型８は下型プラテン３に取り付けられている。下型８は固定型で、ホイールではデザイン部を形成する面である。本実施例においては最小のテーパ部傾きを３．５°とし、スポーク部の断面形状を図６に鋳抜き部を設けたものとした。また、厚さＴ１は３０ｍｍ、最小幅ｗを４０ｍｍ、天井肉圧を１０ｍｍとした。両横は横可動型１０で、ホイールのリム部の外周面を形成する。金型の上型１２は、可動プラテン１４に取り付けられている。上型１２は所謂可動型で、ホイールを車に取り付けるデザイン部裏面及びリム部の内周面を形成する。可動プラテン１４はガイドポスト１５に固着されており、ガイドポスト１５は上型プラテン１３に備えられたガイド１６に沿って上下に動くことが可能である。また、前記ガイドポスト１５は上端を上板１７に固定され、上型プラテンに備えられた油圧シリンダ２１がこの上板を動かし、それに追従して可動プラテン１４および上型１２が上下して動く。図２中、上板１７が最下端まで来た位置を破線で示す。この最下端の位置は上型１２が横型１０および下型８と型締めされた際の位置である。
【００２４】
鋳造作業は、以下の手順による。下型８、上型１２、横型１０の金型を閉じた後、空気や不活性ガス等の０．０２〜０．０５ＭＰａの加圧気体を加圧気体送入管１８より密閉容器内１に送り込む。送り込まれた加圧気体により、保持炉２内で約７００℃に保持されたアルミの溶湯５がストーク４ｂを介して押し上げられ金型温度を３５０〜４５０℃に保持された金型内のキャビテイに入る。金型のキャビテイ部は保温と離型を兼ねた塗型でコーテイングが施してある。約２〜３分の後、加圧を排気し、未凝固のストーク４内の溶湯５を保持炉２に戻し、金型内の溶湯が凝固するのを待つ。金型内の溶湯の凝固が完了し、約４００〜４５０℃の取り出し温度に達したところで金型を開き、上型に鋳造製品（ホイール）がついた状態のまま上型を上昇させる。ある程度上昇した時点で上型プラテンに固着した押し出しピンによりホイールを上型から離し脱着アーム１１を用いてホイールを取り出す。このサイクルを繰り返し、製品を鋳造していく。
【００２５】
図８に０．１０秒より長時間かけて下降油圧圧力を１０ＭＰａから０ＭＰａにまで落とし、上型を下型に対して上昇させたときの下降油圧にかかる圧力変動と可動プラテンの変位を示す。実際には０．２０秒で油圧圧力を０ＭＰａまで落とした。図中点線で示す右上がりの線が可動プラテンの型締め位置からの変位を示す。また、可動プラテンの変位の測定位置は可動プラテンの各々４隅（１７８０×１０２０ｍｍ）で測定した。まず、図２に示す鋳造機の可動プラテンの４隅に反射式レーザを取り付け、型締め位置から上昇８０ｍｍまで０．０５ｍｍの精度で４ヶ所同時に連続データを測定し、上昇時の下型に対する平行度を求めた。平行度測定と同時に上型の型締め、離型時の油圧圧力の変化を測定するため最大２０ＭＰａの圧力センサーを上型シリンダ接続口に取り付け、油圧圧力を連続測定した。
【００２６】
図８に示すように油圧は０．２０秒を通して徐々に下がり鋳造機に振動を与えることはなかった。さらに可動プラテンは終始ほとんど傾かずに上型プラテンに対して平行度を保ったまま上昇していくことを確認した。またスポーク部のテーパ部傾きの５０％以上の部分で５°以下の車両用軽合金ホイールを２０ヶ製造し、デザイン面でのカジリ、変形があるか観察を行った。意匠面のカジリの発生は確認されず、良好な形状を有するホイールが得られた。
【００２７】
（参考例２）
図３に示す鋳造機を用い、その他は参考例１と同様にして車両用ホイールの製造を行った。参考例１と異なり、ストーク４ａ、４ｃは複数設けるとともに溶湯は下型８を通って横型１０に流れ込み、ホイールのリム部を成形するキャビティに注湯される。また、前記ストーク４ａ、４ｃから注湯される溶湯５はリムの周方向に流れやすいように、キャビティのホイール軸に向かう方向から若干角度をつけて溶湯の流れを抑制している。車両用軽合金ホイールを２０ヶ製造し、デザイン面でのカジリ、変形があるか観察を行ったが、意匠面のカジリの発生は確認されず、良好な形状を有するホイールが得られた。
【００２８】
（参考例３）
ストークを計３本用いて鋳造を行った。内１本は実施例１と同様にホイールのハブ部を形成するキャビティに注湯されるようにした。また、残り２本は実施例２のように横型１０に流れ込み、ホイールのリム部を成形するキャビティに注湯されるように構成した。また下型の形状を換え、テーパ部傾きが３．５°とし、スポーク部の断面形状を図４に示すものとした。また、厚さＴ１は３０ｍｍ、最小幅Ｗを４．０ｍｍとし、スポーク部のテーパ部傾きの５０％以上の部分でテーパ部傾き３．５°とした。その他は参考例１と同様の鋳造条件で車両用ホイールを２０ヶ製造した。ホイールの意匠図面を図１に示す。この形状での意匠面のカジリの発生は確認されず、良好な形状を有するホイールが得られた。
【００２９】
（参考例４）
参考例３と同様にストークを計３本用いて鋳造を行った。また下型および上型の形状を換え、スポーク部の断面形状を図７に示すものとした。意匠面側のテーパ部傾きを３．５°とし、スポーク部裏面の鋳抜き部でのテーパ部傾きを５°とした。また、厚さＴ１は３０ｍｍ、天井肉厚は５ｍｍ、最小幅Ｗを４．５ｍｍとし、スポーク部のテーパ部傾きの５０％以上の部分でテーパ部傾き３．５°とした。その他は実施例１と同様の鋳造条件で車両用ホイールを２０ヶ製造した。この形状での意匠面のカジリの発生は確認されず、良好な形状を有するホイールが得られた。
【００３０】
（参考例５）
比較として図９に０．０１秒の速さで下降油圧圧力を１０ＭＰａから０ＭＰａにまで落とし、上型を下型に対して上昇させたときの下降油圧にかかる圧力変動と可動プラテンの変位を示す。他鋳造条件、測定方法は参考例１と同じである。
【００３１】
図９に示すように油圧は急激に下がり、その後激しい変動を５回ほど繰り返した。変動が納まったのは油圧を下げ始めた瞬間から約０．１秒後である。この激しい変動を起因として可動プラテンが傾き、下型に対して傾いたまま上昇していくことを確認した。可動プラテンの各４隅の最大の変位は３〜５ｍｍほど上昇した位置であり、最大１．５ｍｍほどの変位差が確認された。実施例１と同形状の車両用軽合金ホイールを２０ヶ製造し、デザイン面でのカジリがあるか観察を行った。その結果程度の差はあるが、すべてのホイールにおいてカジリの発生が確認され、外観性が悪化していた。
【００３２】
（実施例１）
ディスク部を形成する下型または上型を型開けする際、上型プラテンに４本同期ピストンを上板に設け、最下端の位置にある上板を２０〜３０ｍｍ程度の高さまで平行を保ちながら上昇させた。また、上型と下型との間には高さ２０ｍｍ、ほどのガイドピンを設け、水平方向に移動することが無いようにした。鋳造機は参考例５に記載のものと同様のものを使用した。
【００３３】
参考例５と同様に０．０１秒で下降油圧圧力を１０ＭＰａから０ＭＰａにまで落とし、上型を下型に対して上昇させたときの下降油圧にかかる圧力変動と可動プラテンの変位を測定した。その結果、油圧の変動は比較例１と同様であったが、可動プラテンの変動はほぼ一定に増加傾向を示し、下型から２０〜３０ｍｍ程度の高さまでは４本同期ピストンの制御をもとに、平行を保ったまま可動プラテンが上昇することを確認した。
【図面の簡単な説明】
【００３４】
【図１】本発明の一実施例に係るホイールのディスク部正面図である。
【図２】本発明に用いた鋳造機の１例である。
【図３】本発明に用いた別の鋳造機の１例である。
【図４】テーパ部傾きの形状を示す１実施例である。
【図５】別のテーパ部傾きの形状を示す１実施例である。
【図６】別のテーパ部傾きの形状を示す１実施例である。
【図７】別のテーパ部傾きの形状を示す１実施例である。
【図８】実施例の型開けにおける油圧とプラテンの移動量の変化を示す図である。
【図９】従来の型開けにおける油圧とプラテンの移動量の変化を示す図である。
【図１０】従来のホイールのディスク部正面図である。
【符号の説明】
【００３５】
１：密閉容器、２：保持炉、３：下型プラテン、４：ストーク、５：溶湯、６：湯口ブッシュ、７：湯口部、８：下型、９：ガイドピン、１０：横型、１１：脱着アーム、１２：上型、１３：上型プラテン、１４：可動プラテン、１５：ガイドポスト、１６：ガイド、１７：上板、１８：加圧気体挿入管、２０：４本同期ピストン、２１：油圧シリンダ、３０：アルミホイール、３１：ハブ部、３２：デザイン部、３３：リム部、３４：スポーク部、３５：意匠穴、３６：ボルト穴凹部、４０：テーパ部傾き、４１：意匠面側、４２：天井肉圧、４３：鋳抜き部テーパ部傾き、４４：鋳抜き部
【図１】
2006061986.tif 000003
【図２】
2006061986.tif 000004
【図３】
2006061986.tif 000005
【図４】
2006061986.tif 000006
【図５】
2006061986.tif 000007
【図６】
2006061986.tif 000008
【図７】
2006061986.tif 000009
【図８】
2006061986.tif 000010
【図９】
2006061986.tif 000011
【図１０】
2006061986.tif 000012